(57)【要約】【課題】各部材同士の接触を防止し、可動体が繰り返し落下動作しても各部材が劣化することを防止可能な遊技機を提供する。【解決手段】遊技盤の上部の初期位置に初期位置設定用ストッパーにより保持され、当該初期位置設定用ストッパーが解除されることにより初期位置から落下するように構成された可動体と、駆動源の力と弾性手段の力とを受けて上方に移動することにより、落下した可動体を初期位置まで上昇させて初期位置設定用ストッパーに保持させ、かつ、駆動源の力を受けて所定位置まで下降することにより初期位置設定用ストッパーを解除して前記可動体を落下させる昇降部材とを備え、可動体が落下した場合において、昇降部材が、可動体と接触しない上昇開始位置に位置決めされることを特徴とする。【選択図】図３
2017136257.tif 000002
【特許請求の範囲】
【請求項１】
遊技盤の上部の初期位置に初期位置設定用ストッパーにより保持され、当該初期位置設定用ストッパーが解除されることにより前記初期位置から落下するように構成された可動体と、
駆動源の力と弾性手段の力とを受けて上方に移動することにより、落下した前記可動体を前記初期位置まで上昇させて前記初期位置設定用ストッパーに保持させ、かつ、前記駆動源の力を受けて所定位置まで下降することにより前記初期位置設定用ストッパーを解除して前記可動体を落下させる昇降部材と、
を備え、
前記可動体が落下した場合において、前記昇降部材が、前記可動体と接触しない上昇開始位置に位置決めされることを特徴とする遊技機。
【請求項２】
前記昇降部材が前記上昇開始位置に位置決めされた場合に、前記昇降部材に設けられた被検出部を検出する昇降部材上昇開始位置検出用センサーを備えたことを特徴とする請求項１に記載の遊技機。
【発明の詳細な説明】
【技術分野】
【０００１】
本発明は、可動体を自由落下させることが可能な遊技機に関する。
【背景技術】
【０００２】
従来、可動体（移動体）を自重で落下させる構成を備えた遊技機が知られている。
例えば、特許文献１に記載の可動体は、落下動作において、可動体の下部に設けられた突起部がコイルスプリングを圧縮しながら鉛直下方に落下し、最終的に可動体の下部に設けられた接触部がストッパーに接触するように構成されることによって、可動体の自由落下がコイルスプリングの力（弾発力）で規制されるとともに、可動体の接触部がストッパーに接触する際の衝撃がコイルスプリングの力で緩衝されるようになっている。
【０００３】
また、当該遊技機においては、可動体を上昇させる際に可動体にコイルスプリングの力（可動体を上方に移動させる付勢力）が作用するため、可動体を上昇させるための駆動源であるモーターの負荷を軽減できる構成となっている。
【先行技術文献】
【特許文献】
【０００４】
【特許文献１】特許第５６８０５２３号公報
【発明の概要】
【発明が解決しようとする課題】
【０００５】
しかしながら、特許文献１の遊技機にあっては、可動体が落下する度に、突起部がコイルスプリングを圧縮するとともに、接触部がストッパーと接触する構成であることから、繰り返し落下動作により各部材が劣化することが懸念される。
【０００６】
本発明は上記課題を解決すべく、各部材同士の接触を防止し、可動体が繰り返し落下動作しても各部材が劣化することを防止可能な遊技機を提供するものである。
【課題を解決するための手段】
【０００７】
上記課題を解決するための本発明に係る遊技機は、遊技盤の上部の初期位置に初期位置設定用ストッパーにより保持され、当該初期位置設定用ストッパーが解除されることにより初期位置から落下するように構成された可動体と、駆動源の力と弾性手段の力とを受けて上方に移動することにより、落下した可動体を初期位置まで上昇させて初期位置設定用ストッパーに保持させ、かつ、駆動源の力を受けて所定位置まで下降することにより初期位置設定用ストッパーを解除して前記可動体を落下させる昇降部材とを備え、可動体が落下した場合において、昇降部材が、可動体と接触しない上昇開始位置に位置決めされることを特徴とする。
また、昇降部材が上昇開始位置に位置決めされた場合に、昇降部材に設けられた被検出部を検出する昇降部材上昇開始位置検出用センサーを備えたことを特徴とする。
なお、上記発明の概要は、本発明の必要な特徴の全てを列挙したものではなく、特徴群を構成する個々の構成もまた発明となり得る。
【発明の効果】
【０００８】
上記各構成に係る遊技機によれば、可動体の落下動作による劣化を防止することができる。
【図面の簡単な説明】
【０００９】
【図１】パチンコ機の概略斜視図。
【図２】遊技盤の正面図。
【図３】役物装置の正面図。
【図４】役物装置の可動体を示す分解斜視図。
【図５】役物装置の可動体駆動機構を示す分解斜視図。
【図６】役物装置の可動体駆動機構を後方から見た図。
【図７】役物装置のストッパー機構を示す分解斜視図。
【図８】（ａ）はストッパー機構を示す正面図、（ｂ）はストッパー機構を示す側面図。
【図９】昇降部材と可動体初期位置設定用ストッパー機構のリンク機構との関係を示す動作説明図。
【図１０】可動体が初期位置に設定された状態を示す正面図。
【図１１】可動体落下状態Ａを示す正面図。
【図１２】可動体落下状態Ａを示す斜視図。
【図１３】可動体落下状態Ｂを示す正面図。
【図１４】パチンコ機の制御ブロック図。
【発明を実施するための形態】
【００１０】
以下、実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。
【００１１】
図１に示すように、遊技機の一例としてのパチンコ機１は遊技場の島設備に設置される縦長方形状の機枠２と、この機枠２の一側部においてヒンジ機構により開閉自在に取付けられた本体枠３と、当該本体枠３内に収容された遊技盤３０（図２参照）と、本体枠３の前方において開閉可能に軸着され、中央部に配設されたガラス窓４Ａ及びガラス窓４Ａの下方に設けられた受皿６を有するパネル枠４と、パネル枠４の下部一側部より前方に突設されたハンドルユニット７、及びパネル枠４の上部両側部に配設されたスピーカユニット８を主たる構成として備える。パネル枠４が本体枠３側に閉じられた状態において、パチンコ機１の前方に着座する遊技者からは、パネル枠４に配設されたガラス窓４Ａを介して本体枠３内に収容された遊技盤３０の遊技領域３０Ａ（図２参照）を視認することが可能である。
【００１２】
受皿６の中央部には、遊技者の任意によって操作可能な操作手段としての操作機構９が配設される。操作機構９は、遊技者による押下操作が可能な円形のプッシュボタン９Ａと、当該プッシュボタン９Ａの周囲において遊技者による回動操作が可能なダイアル９Ｂとにより構成される。操作機構９は、後述する演出制御回路２７０（図１４参照）と接続されており、プッシュボタン９Ａ、及びダイアル９Ｂから出力される信号は、演出制御回路２７０側に入力する。受皿６には、この他、球貸ボタンや返却ボタン等が配設されており、これらのボタン操作によって図外のＣＲユニットに投入されたＩＣカード等の記録媒体に記録された貸し球可能数に対応する遊技球の貸し出し動作、或いは記録媒体の返却動作が実行される。
【００１３】
［遊技盤の構成について］
本体枠３内に収容される遊技盤３０は、図２に示すように、前面が遊技盤３０の盤面３０Ｆを形成する盤面構成体３１と、盤面構成体３１の盤面３０Ｆ（盤面構成体３１の前面）に取付けられて当該盤面３０Ｆよりも前方に突出する前側遊技部品と、当該盤面３０Ｆよりも後側に配置された後側遊技部品としての役物装置３００を備える。
【００１４】
盤面構成体３１の中央部には、遊技者が役物装置３００の可動体３０１を盤面構成体３１の前方から目視可能とするための表示孔３１Ｈが形成されている。盤面構成体３１は、表示孔３１Ｈの開口の面積と盤面３０Ｆの面積との比が例えば１，１程度となるように形成されている。
【００１５】
尚、盤面構成体３１の盤面３０Ｆ側における表示孔３１Ｈの周囲には、前側遊技部品の１つである遊技球誘導壁部３５が前方に向けて突設されている。遊技球誘導壁部３５は、盤面構成体３１の盤面３０Ｆ側における表示孔３１Ｈの上側開口縁、及び左右両側の開口縁を略円形状に取り囲むように延在する壁部である。上述のガラス窓４Ａが閉じられた場合において、遊技球誘導壁部３５の前端部とガラス窓４Ａとは、遊技球の直径未満で接近し、遊技球誘導壁部３５で囲まれた内側に遊技球が進入することは不可能とされる。
また、表示孔３１Ｈの上側開口縁の下に位置されるように、表示孔３１Ｈの上側開口縁を取り囲む遊技球誘導壁部３５には光飾装置７０（図２参照）が取付けられている。
【００１６】
遊技盤３０には、遊技盤３０の盤面３０Ｆと、遊技球誘導壁部３５と、外ガイド部２７及び内ガイド部２８とによって区画された遊技領域３０Ａが形成される。遊技領域３０Ａは、遊技盤３０の盤面３０Ｆとガラス窓４Ａの後面との間に形成された遊技球の流下可能な空間である。また、遊技盤３０の盤面３０Ｆには、多数の釘２４や風車２５が稙設されており、遊技者のハンドルユニット７の操作に応じて駆動する図外の発射機構により発射され、遊技領域３０Ａ内に到達した遊技球は、多数の釘２４や風車２５によって不規則に誘導されつつ遊技領域３０Ａ内を流下する。
【００１７】
また、本実施形態において遊技領域３０Ａは、図２に示すように、概ね左打ち領域ＥＬと右打ち領域ＥＲとに区分けされている。左打ち領域ＥＬは、遊技盤３０の左右中心線ＣＬよりも左側の領域であり、当該左打ち領域ＥＬに到達した遊技球は遊技領域３０Ａ内を流下する。
一方、右打ち領域ＥＲは、遊技領域３０Ａの左右中心線ＣＬよりも右側の領域であり、当該右打ち領域ＥＲに到達した遊技球は、遊技球の直径よりも僅かに広く、２個以上の遊技球が流下不能な右打ち通路３６を通って遊技領域３０Ａ内を１個ずつ流下する。
【００１８】
遊技盤３０の遊技領域３０Ａ内には、前側遊技部品を構成する、第１始動部品５０、第２始動部品５２、大入賞装置６０、一般入賞部品６６等が配設されており、これらの入賞部品や入賞装置に遊技球が入球すると、各入賞部品等に対応した所定数の賞球が受皿６に払出される。
また、遊技球が第１始動部品５０、又は第２始動部品５２に入球すると、上記賞球の払出しの他、大入賞装置６０を開放動作させ、遊技者にとって有利な状態を醸成する特別遊技の可否に関する抽選（特図当否抽選）や、当該特別遊技の態様を決定する抽選を始めとする各種の抽選が主制御回路２４０により実行される。即ち、第１始動部品５０、又は第２始動部品５２への遊技球の入球は、上記各種の抽選を受ける契機となるものである。
【００１９】
以下、各入賞装置の構成について説明する。
第１始動部品５０は、遊技領域３０Ａの左右方向略中央において、上記表示孔３１Ｈの下側開口縁に沿って設けられたステージ４７の下方に配設される。第１始動部品５０は、遊技盤３０の盤面３０Ｆより前方に突出し、上方が開口した入賞部５０Ａと、第１始動口検出スイッチＳＷ１（図１４参照）とを備え、入賞部５０Ａの上方開口（第１始動口）より内部に取り込まれた遊技球は、内部に配設された第１始動口検出スイッチＳＷ１によって検出される。
【００２０】
図１４に示すように、第１始動口検出スイッチＳＷ１は、主制御回路２４０と接続されており、主制御回路２４０は第１始動口検出スイッチＳＷ１からの検出信号に基づいて前述した各種の抽選処理や、賞球を例えば３個払い出す賞球払出処理を実行する。なお、本例において第１始動部品５０の位置は、上述の左打ち領域ＥＬを流下する遊技球のみが入球し得る位置に設定されている。
【００２１】
第２始動部品５２は、右打ち領域ＥＲ内において前述の第１始動部品５０、大入賞装置６０よりも上方に配設される。第２始動部品５２は、遊技盤３０の盤面３０Ｆより前方に突出し、側部が開口した矩形状の入賞部５２Ａと、第２始動口検出スイッチＳＷ２（図１４参照）と、入賞部５２Ａの側部において開閉動作可能に設けられた開閉体５３とを備える。図２に示すように、矩形状の入賞部５２Ａは例えば透明なケーシングにより形成されており、遊技者は入賞部５２Ａの側部開口（第２始動口）への遊技球の入球有無を視認可能である。入賞部５２Ａ内に入球した遊技球は、内部に配設された第２始動口検出スイッチＳＷ２により検出される。
図１４に示すように、第２始動口検出スイッチＳＷ２は主制御回路２４０と接続されており、主制御回路２４０は第２始動口検出スイッチＳＷ２からの検出信号に基づいて前述した各種の抽選処理や、賞球を例えば３個払い出す賞球払出処理を実行する。
【００２２】
開閉体５３は、盤面構成体３１の後面側に配設されたソレノイドＳＯＬ１（図１４参照）の駆動によって閉鎖状態と開放状態とを取り得る羽根状部材であり、開閉体５３が開放動作中である場合に限って遊技球は第２始動部品５２の入賞部５２Ａに入球可能となる。
【００２３】
第２始動部品５２の上方には、通過ゲート５８が配設される。通過ゲート５８は、上下が開放した門型の遊技部品であって、その内部にはゲート検出スイッチＳＷ３（図１４参照）が格納されている。通過ゲート５８を通過した遊技球は、ゲート検出スイッチＳＷ３によって検出される。主制御回路２４０は、ゲート検出スイッチＳＷ３からの検出信号の入力を契機として前述の開閉体５３の開放の可否に関する各種の抽選を実行する。
【００２４】
次に、大入賞装置６０について概説する。図２に示すように、大入賞装置６０は、右打ち領域ＥＲにおいて、第２始動部品５２の下方に配設される入賞装置である。同図の破線に示すように、大入賞装置６０は、上方開放の入球口として形成された大入賞口６０Ａと、当該大入賞口６０Ａを閉鎖状態又は開放状態とする開閉体６５とを備える。開閉体６５は、ソレノイドＳＯＬ２の駆動によって遊技盤３０の前後方向に開閉動作する部材である。開閉体６５が前方に突出して大入賞口６０Ａを閉鎖した状態において、遊技球は大入賞口６０Ａ内に入球することなく遊技領域３０Ａの下流に流下する。一方、後述の特別遊技が実行され、開閉体６５が後方に没入して大入賞口６０Ａを開放した状態において、遊技球は大入賞口６０Ａ内に入球し、内部に配設された大入賞口検出スイッチＳＷ４（図１４参照）によって検出された後、機外に排出される。大入賞口検出スイッチＳＷ４は、主制御回路２４０と接続されており、主制御回路２４０側では、当該大入賞口検出スイッチＳＷ４からの検出信号の入力に基づいて賞球を例えば１５個払い出す賞球払出処理を実行する。上記構成からなる大入賞装置６０の位置は、右打ち領域ＥＲに打ち出された遊技球のみが入球し得る位置とされており、遊技球が右打ち領域ＥＲを流下し、かつ、特別遊技中において開閉体６５が開放動作中である場合に限って大入賞口６０Ａへの入球が可能となる。
【００２５】
一般入賞部品６６は、遊技盤３０の左下側部に配設された部材であって、上方開口の複数の一般入賞口６６ａと、一般入賞口検出スイッチＳＷ５（図１４参照）とを備えており一般入賞口６６ａから入球した遊技球は、内部に収容された一般入賞口検出スイッチＳＷ５により検出される。当該一般入賞口検出スイッチＳＷ５は主制御回路２４０と接続されており、主制御回路２４０は一般入賞口検出スイッチＳＷ５からの検出信号に応じて賞球を例えば３個払い出す賞球払出処理を実行する。また、上述した各入賞装置のいずれにも入球しなかった遊技球は、アウト口６９に入球し、当該アウト口６９と連通する図外の排出通路を介して機外に排出される。
【００２６】
演出表示装置１００は、例えば液晶表示画面等の演出表示画面１０５を備え、当該演出表示画面１０５に１〜８までの数字、及び特定のキャラクター等からなる演出図柄を変動表示可能な液晶表示装置である。
演出表示装置１００の演出表示画面１０５には、演出図柄の他、演出図柄の変動表示に伴って予告演出やリーチ演出とも呼ばれる画像や動画によって表現される多様な変動演出が表示され、遊技者は一般に、演出表示画面１０５上に表示される変動表示、及び変動演出を視認しながら遊技を楽しむこととなる。
【００２７】
［役物装置の構成について］
次に、図３乃至図１３を参照し、役物装置３００について説明する。
図３に示すように、役物装置３００は、可動体３０１と、可動体制御機構３０２とを備える。
図４に示すように、可動体３０１は、後方部材３０３と、上部材３０４と、下部材３０５とを備える。上部材３０４及び下部材３０５は、後方部材３０３の前方に配置され、上部材３０４及び下部材３０５が互いに上下方向に離れた状態となった場合に、遊技者が上部材３０４と下部材３０５との間から後方部材３０３の前面を目視可能となるように構成されている。
図３に示すように、可動体制御機構３０２は、左右の可動体駆動機構３０６，３０６と、左右のストッパー機構３０７，３０７と、左右のセンサー機構３０８，３０８と、これら各機構が取付けられた取付ベース３０９とを備える。
【００２８】
図３に示すように、取付ベース３０９は、可動体駆動機構３０６が取付けられる後側取付ベース３１０と、ストッパー機構３０７及びセンサー機構３０８が取付けられる前側取付ベース３１１とを備える。
図５に示すように、後側取付ベース３１０は、左右の後側取付ベース３１２，３１２と、左右の後側取付ベース３１２，３１２の上端部同士を連結する上側連結部材３１３とを備えた構成である。
図７に示すように、前側取付ベース３１１は、左右の前側取付ベース３１４，３１４により構成される。
【００２９】
図５に示すように、可動体駆動機構３０６は、可動体３０１の上下方向移動をガイドする左右のガイド軸３１５，３１５（図４参照）を備え、当該左右のガイド軸３１５，３１５の上端側は左右の前側取付ベース３１４，３１４の上端部に設けられた左右のガイド軸上端側固定部３１６，３１６に固定され、左右のガイド軸３１５，３１５の下端側は左右の前側取付ベース３１４，３１４の下端部に設けられた左右のガイド軸下端側固定部３１７，３１７に固定されている（図３参照）。
そして、図３に示すように、可動体駆動機構３０６が後側取付ベース３１０に取付けられ、ストッパー機構３０７が前側取付ベース３１１に取付けられ、センサー機構３０８が前側取付ベース３１１の下端側及び上端側に取付けられ、かつ、可動体３０１が上下動可能となるように可動体３０１の左右側が左右のガイド軸３１５，３１５に取付けられた状態で、左右の後側取付ベース３１２，３１２の前側に左右の前側取付ベース３１４，３１４が設置されてこれら左右の後側取付ベース３１２，３１２と左右の前側取付ベース３１４，３１４とが固定状態に連結されるとともに、これら左右の後側取付ベース３１２，３１２、及び、左右の前側取付ベース３１４，３１４が、それぞれ盤面構成体３１の裏面に固定されている。
【００３０】
図４に示すように、可動体３０１の後方部材３０３は、後方装飾体３２０と、後方装飾体の左右両端部にそれぞれ設けられた左右のスライダー３２１，３２１とを備える。当該左右のスライダー３２１，３２１が上下方向に移動可能なように左右のガイド軸３１５，３１５に取付けられていることにより、当該後方部材３０３が上下方向に移動可能に構成されている。後方装飾体３２０の前面には例えば背景となる装飾部が形成されている。
【００３１】
可動体３０１の上部材３０４は、上支持基板３２５と、当該上支持基板３２５に移動可能に支持された複数の上装飾部材３２６;３２６…とを備える。
上支持基板３２５は、前面に形成された複数のガイド孔３２７，３２７…と、左右両端部の後側に設けられた左右のスライダー３２８，３２８と、左右両端に設けられて後述する左右の上ストッパー４００，４００に支持されるように係合する左右の被支持係合部３２９，３２９（図３参照）とを備え、かつ、前面に装飾部を備えた構成である。
そして、左右のスライダー３２８，３２８が上下方向に移動可能なように左右のガイド軸３１５，３１５に取付けられていることにより、上部材３０４が上下方向に移動可能に構成されている。
上装飾部材３２６は、上装飾体３３０と、上装飾体３３０の後面より後方に突出するように設けられた支持軸３３１とを備え、当該支持軸３３１が上支持基板３２５のガイド孔３２７内を移動可能でかつ支持軸３３１がガイド孔３２７から脱落しないように支持軸３３１の後端部とガイド孔３２７とが連結されたことによって、上装飾部材３２６がガイド孔３２７の延長方向に移動可能に構成されている。
【００３２】
可動体３０１の下部材３０５は、下支持基板３３５と、当該下支持基板３３５に移動可能に支持された複数の下装飾部材３３６，３３６…とを備える。
下支持基板３３５は、前面に形成された複数のガイド孔３３７，３３７…と、左右両端部の後側に設けられた左右のスライダー３３８，３３８と、左右両端に設けられて後述する左右の下ストッパー４０１，４０１に支持されるように係合する左右の被支持係合部３３９，３３９とを備え、かつ、前面に装飾部を備えた構成である。
そして、左右のスライダー３３８，３３８が上下方向に移動可能なように左右のガイド軸３１５，３１５に取り付けられていることにより、下部材３０５が上下方向に移動可能に構成されている。
下装飾部材３３６は、下装飾体３４０と、下装飾体３４０の後面より後方に突出するように設けられた支持軸３４１とを備え、当該支持軸３４１が下支持基板３３５のガイド孔３３７内を移動可能でかつ支持軸３４１がガイド孔３３７から脱落しないように支持軸３４１の後端部とガイド孔３３７とが連結されたことによって、下装飾部材３３６がガイド孔３３７の延長方向に移動可能に構成されている。
【００３３】
例えば、１つの上装飾体３３０と１つの下装飾体３４０とで１つの文字を形成するように構成されている。
具体的には、図３に示すように、３つの上装飾体３３０がそれぞれ文字「Ｘ」、「Ｙ」、「Ｚ」の上側を形成するように構成されるとともに、３つの下装飾体３４０がそれぞれ文字「Ｘ」、「Ｙ」、「Ｚ」の下側を形成するようにより構成されている場合、上装飾体３３０の後面には支持軸３３１がそれぞれ２つずつ設けられて、上支持基板３２５の前面には当該支持軸３３１に対応するガイド孔３２７が形成された構成とし、かつ、各下装飾体３４０の後面には支持軸３４１がそれぞれ２つずつ設けられて、下支持基板３３５の前面には当該支持軸３４１に対応するガイド孔３３７が形成された構成とした。
即ち、上支持基板３２５と下支持基板３３５とが上下方向に離間した状態においては、上装飾体３３０及び下装飾体３４０は、重力によって、左側下がり、あるいは、右側下がりのいずれかの状態になり、支持軸３３１，３４１が対応するガイド孔３２７，３３７の端部に位置されるように構成した。
【００３４】
例えば、図４に示すように、文字「Ｘ」の上側を形成する上装飾体３３０Ａの場合、上支持基板３２５と下支持基板３３５とが上下方向に離間した状態においては、重力によって、右側下がりの状態になり、一方の支持軸３３１が一方のガイド孔２３７Ａの一端（右下端）に位置するとともに、他方の支持軸３３１が他方のガイド孔３２７Ｂの一端（左下端）に位置することで、右側下がりの状態が維持される。また、文字「Ｘ」の下側を形成する下装飾体３４０Ａの場合、上支持基板３２５と下支持基板３３５とが上下方向に離間した状態においては、重力によって、左側下がりの状態になり、図外の一方の支持軸３４１が一方のガイド孔３３７Ａの一端（右下端）に位置するとともに、図外の他方の支持軸３４１が他方のガイド孔３３７Ｂの一端（右上端）に位置することで、左側下がりの状態が維持される。
【００３５】
そして、上支持基板３２５と下支持基板３３５とが上下方向で接触した場合、文字「Ｘ」の上側を形成する上装飾体３３０Ａと文字「Ｘ」の下側を形成する下装飾体３４０Ａとがぶつかり合って上装飾体３３０Ａ及び下装飾体３４０Ａの姿勢が水平状態となることで文字「Ｘ」が形成されることになる。
即ち、文字「Ｘ」の上側を形成する上装飾体３３０Ａと文字「Ｘ」の下側を形成する下装飾体３４０Ａとがぶつかり合って、上装飾体３３０Ａの一方の支持軸３３１が一方のガイド孔３２７Ａの他端（左上端）に位置するとともに、他方の支持軸３３１が他方のガイド孔３２７Ｂの他端（右上端）に位置し、かつ、下装飾体３４０Ａの一方の支持軸３４１が一方のガイド孔３３７Ａの他端（左上端）に位置するとともに、他方の支持軸３４１が他方のガイド孔３２７Ｂの他端（左下端）に位置することにより、上装飾体３３０Ａ及び下装飾体３４０Ａの姿勢が水平状態となって、文字「Ｘ」が形成されることになる。
【００３６】
文字「Ｙ」を形成する上装飾体３３０及び下装飾体３４０、文字「Ｚ」を形成する上装飾体３３０及び下装飾体３４０についても、上述した文字「Ｘ」を形成する上装飾体３３０Ａ（３３０）及び下装飾体３４０Ａ（３４０）の場合と同様に構成される。
尚、例えば、図４の文字「Ｙ」の上側を形成する上装飾体３３０のように、上装飾体３３０の一方の支持軸３３１を固定するための固定孔３２７Ｘが上支持基板３２５の前面に形成され、上装飾体３３０の他方の支持軸３３１のガイド孔３２７が当該固定孔３２７Ｘを中心とする円周上に位置されるように上支持基板３２５の前面に形成された構成とすることで、固定孔３２７Ｘを回転中心として回転移動するような構成の装飾体としてもよい。
【００３７】
図５に示すように、左右の可動体駆動機構３０６，３０６は、それぞれ、可動体３０１を上昇又は落下させるための昇降部材３５０と、昇降部材３５０を上下動させるための駆動源としてのモーター３５１と、昇降部材３５０を上昇させる際のアシスト手段として機能する定荷重ばね３５２と、モーター３５１の駆動力を昇降部材３５０に伝達するための動力伝達手段３５３と、可動体３０１の上下動をガイドする上述したガイド軸３１５（図４参照）とを備えて構成される。
【００３８】
動力伝達手段３５３は、例えば、モーター３５１の出力軸に連結された駆動歯車３５４と、駆動歯車３５４と噛み合うように設けられた従動歯車３５５と、従動歯車３５５の回転中心軸３５６（図６参照）と連結されて回転する入力側ピニオン３５７と、入力側ピニオン３５７と噛み合うラック部３５８を備えて上下方向に移動可能に設けられたラック部材３５９と、後側取付ベース３１２に上下方向に延長するように設けられた固定ラック３６０及び昇降部材３５０のラック部３７１に噛み合う出力側ピニオン３６２とを備える。
【００３９】
ラック部材３５９は、上述したラック部３５８と、出力側ピニオン３６２の回転中心軸となるスライド軸３６３（図６参照）を固定する固定部３６４と、定荷重ばね３５２の巻出し端と連結された連結部３６５と、ガイドレール溝３６６とを備え、固定部３６４に固定されたスライド軸３６３が後側取付ベース３１２に上下方向に延長するように形成されたガイド孔３６７内を移動可能なように構成されているとともに、ガイドレール溝３６６が後側取付ベース３１２に上下方向に延長するように形成されたガイドレール３６８（図６参照）と係合するように構成されたことによって、ラック部材３５９がガイドレール３６８に沿って上下方向に移動可能に構成されている。
【００４０】
出力側ピニオン３６２は、後側取付ベース３１２の後側からガイド孔３６７を介して前側に突出するスライド軸３６３の前端部に当該スライド軸３６３を回転中心として回転可能なように取付けられて、後側取付ベース３１２の前側に配置される固定ラック３６０及び昇降部材３５０のラック部３７１に噛み合うように構成されている。
【００４１】
昇降部材３５０は、出力側ピニオン３６２と噛み合うラック部３７１と、可動体３０１を押し上げる部分となる押上部３７２と、後述するリンク機構３８３を押し下げて後述する初期位置設定用ストッパー３８２を解除させる部分となる押下部３７３と、後述する可動体初期位置検出用センサー４３０に検出される部分となる第１の被検出部としての被検出部４３３と、後述する昇降部材初期位置検出用センサー４３１及び昇降部材上昇開始位置検出用センサー４３２に検出される部分となる第２の被検出部としての被検出部３７４と、上下のスライド軸３７５，３７５（図６参照）とを備え、当該スライド軸３７５，３７５が、後側取付ベース３１２に上下方向に延長するように形成されたガイド孔３７６内を移動可能でかつ当該スライド軸３７５，３７５がガイド孔３７６から脱落しないようにスライド軸３７５，３７５の後端部とガイド孔３７６とが連結されたことによって、昇降部材３５０がガイド孔３７６の延長方向である上下方向に移動可能、即ち、昇降可能に構成されている。尚、第１の被検出部としての被検出部４３３は、例えば、昇降部材３５０の上端側に設けられており、第２の被検出部としての被検出部３７４は、例えば、昇降部材３５０の下端側に設けられている。
【００４２】
即ち、可動体駆動機構３０６は、モーター３５１、駆動歯車３５５、従動歯車３５６、出力側ピニオン３６２、固定ラック３６０、昇降部材３５０、定荷重ばね３５２の巻取部３７７が後側取付ベース３１２の前側部分に取付けられ、入力側ピニオン３５７、ラック部材３５９が後側取付ベース３１２の後側部分に取付けられ、そして、従動歯車３５６と入力側ピニオン３５７とが貫通孔３７８を貫通する回転中心軸３５６で連結され、かつ、ラック部材３５９の固定部３６４と出力側ピニオン３６２とがガイド孔３６７を貫通するスライド軸３６３によって連結されて出力側ピニオン３６２がスライド軸３６３を回転中心として回転可能に構成され、さらに、後側取付ベース３１２の後側で定荷重ばね３５２の巻出し端とラック部材３５９の連結部３６５とが連結されて構成されている。
【００４３】
以上のように構成された可動体駆動機構３０６の動作について説明する。
図５において、左右のモーター３５１を駆動し、図示のように、駆動歯車３５４をａ方向に回転させて従動歯車３５５及び入力側ピニオン３５７をａ方向に回転（正回転）させることによって、ラック部材３５９が上昇し、固定ラック３６０及び昇降部材３５０のラック部３７１と噛み合っている出力側ピニオン３６２がａ方向に回転することによって、昇降部材３５０，３５０が上昇し、昇降部材３５０の押上部３７２が落下している可動体３０１の受部となる下支持基板３３５の左右の下端面３７９，３７９（図１０参照）に接触して昇降部材３５０，３５０が上昇し続けることで可動体３０１が上昇する。そして、可動体３０１が初期位置まで上昇すると、下支持基板３３５の左右の下端面３７９，３７９が初期位置設定用ストッパー３８２と係合して、可動体３０１が初期位置設定用ストッパー３８２により初期位置で保持される。
この場合、ラック部材３５９の上端側の連結部３６５が定荷重ばね３５２の巻出し端と連結されているので、昇降部材３５０の押上部３７２が落下している可動体３０１に接触して可動体３０１を上昇させる場合に、昇降部材３５０に加わる可動体３０１の荷重を定荷重ばね３５２に負担させることができるため、可動体３０１を上昇させるためのモーター３５１の負荷を軽減できて、小型のモーター３５１を使用できるようになり、装置の小型化、及び、低コスト化が図れるようになる。
【００４４】
図７に示すように、ストッパー機構３０７は、可動体初期位置設定用ストッパー機構３８０と、可動体落下状態設定用ストッパー機構３８１とを備える。
【００４５】
可動体初期位置設定用ストッパー機構３８０は、初期位置設定用ストッパー３８２と、リンク機構３８３と、初期位置設定用ストッパー３８２が可動体３０１を初期位置で支持する作動状態に維持されるようにリンク機構３８３を上方に付勢する付勢ばね３８４とを備える。
【００４６】
図８に示すように、初期位置設定用ストッパー３８２は、前側取付ベース３１４に設けられた回動支持部に回動可能に設けられた回転中心軸３８５から延長するように形成されて先端側に下支持基板３３５の被支持係合部３３９と係合する係合受部３８６と、先端側から延長する図外のガイド軸とを備えた構成である。当該ガイド軸が、回動支持部を中心とする円周上に位置するように前側取付ベース３１４に形成された円弧状のガイド孔３８７を貫通して当該ガイド孔内を移動可能でかつ当該ガイド軸がガイド孔３８７から脱落しないように当該支持軸の後端部とガイド孔３８７とが連結されたことで、初期位置設定用ストッパー３８２が回転中心軸３８５を回転中心として前後方向に回動可能なように構成されている。
【００４７】
リンク機構３８３は、上下方向に延長するように設けられた第１リンク３９０と、第１リンク３９０の上端と初期位置設定用ストッパー３８２の回転中心軸３８５とを連結する第２リンク３９１とを備える。
第１リンク３９０の上側及び下側には、それぞれ上下方向に延長する移動ガイド孔３９２，３９２が形成されており、前側取付ベース３１４から延長するように設けられたガイド軸３９３が当該移動ガイド孔３９２を貫通して当該移動ガイド孔３９２から抜けないように連結されていることにより、移動ガイド孔３９２の上下延長長さ分だけ、第１リンク３９０が上下方向に移動可能に構成されている。
また、第１リンク３９０は、中央部に、付勢ばね連結部３９４を備えるとともに、下端側に、昇降部材３５０の押下部３７３に接触する押下力受部３９５を備える。
そして、付勢ばね３８４は、上端が前側取付ベース３１４に取付けられ、下端が第１リンク３９０の中央部に設けられた付勢ばね連結部３９４に連結される。
【００４８】
以上のように構成された可動体初期位置設定用ストッパー機構３８０は、リンク機構３８３の第１リンク３９０が付勢ばね３８４によって最上方位置に位置されて初期位置設定用ストッパー３８２が可動体３０１を保持可能な状態に設定されるとともに、図９に示すように、昇降部材３５０の押下部３７３が第１リンク３９０の押下力受部３９５に接触して付勢ばね３８４の付勢力に抗して第１リンク３９０を押し下げた場合に、第２リンク３９１が下方に移動するのに伴って回転中心軸３８５後方に回転するので（図８参照）、初期位置設定用ストッパー３８２が後方に回動して可動体３０１の初期位置での保持を解除する状態に設定され、これにより、可動体３０１が落下する。
【００４９】
図７に示すように、可動体落下状態設定用ストッパー機構３８１は、上ストッパー４００と、下ストッパー４０１と、ストッパー駆動源としてのソレノイド４０２と、ソレノイド４０２の伸長時（電源ＯＦＦ時）に上ストッパー４００が上部材３０４の上支持基板３２５を支持するように上ストッパー４００を作動させる（図１１参照）とともに、ソレノイド４０２の短縮時（電源ＯＮ時）に下ストッパー４０１が下部材３０５の下支持基板３３５を支持するように下ストッパー４０１を作動させる（図１２参照）リンク機構４０３とを備える。
【００５０】
上ストッパー４００は、上部材３０４における上支持基板３２５の被支持係合部３２９を受ける受部４０４を備え、受部４０４が前後方向に回動可能なように、回転中心軸４０５の両端が前側取付ベース３１４の軸受孔４０６に取付けられている。
下ストッパー４０１は、下部材３０５における下支持基板３３５の被支持係合部３３９を受ける受部４０７を備え、受部４０７が前後方向に回動可能なように、回転中心軸４０８の両端が前側取付ベース３１４の軸受孔４０９に取付けられている。
【００５１】
リンク機構４０３は、第１リンク４１０と、第２リンク４１１と、第３リンク４１２と、第１リンク４１０に設けられて上ストッパー４００を回動させる上ストッパー係合部４１５と、第３リンク４１２に設けられて下ストッパー４０１を回動させる下ストッパー係合部４１６と備える。
第２リンク４１１は、左右方向に延長して中間部４１７を回転中心として左右の端部が上下方向に移動可能なように前側取付ベース３１４に取付けられている。
上下方向に延長する第１リンク４１０の上端がソレノイド４０２の作動軸の下端に連結されて第１リンク４１０の下端が第２リンクの左端又は右端の一方に連結され、かつ、第３リンク４１２の上端が第２リンク４１１の左端又は右端の他方に連結されていることにより、ソレノイド４０２の伸長時（電源ＯＦＦ時）には、第１リンク４１０が下方に移動して第３リンク４１２が上方に移動し、ソレノイド４０２の短縮時（電源ＯＮ時）には、第１リンク４１０が上方に移動して第３リンク４１２が下方に移動するように構成されている。
【００５２】
以上のように構成された可動体落下状態設定用ストッパー機構３８１は、ソレノイド４０２の伸長時（電源ＯＦＦ時）においては、第１リンク４１０に設けられた上ストッパー係合部４１５が下方に移動して上ストッパー係合部４１５が上ストッパー４００の背面を前方に押圧することで、上ストッパー４００が垂直に延長した状態となって受部４０４で可動体３０１の上支持基板３２５の被支持係合部３２９を受けることが出来る状態に維持されるとともに、第３リンク４１２に設けられた下ストッパー係合部４１６が上方に移動して当該下ストッパー係合部４１６が下ストッパー４０１の背面より突出する爪４２０を引っ掻けることで、下ストッパー４０１が後方に回動して受部４０７で可動体３０１の下支持基板３３５の被支持係合部３３９を受けることが出来ない状態に維持される。
また、ソレノイド４０２の短縮時（電源ＯＮ時）においては、第１リンク４１０に設けられた上ストッパー係合部４１５が上方に移動して上ストッパー係合部４１５が上ストッパー４００の背面より突出する爪４２１を引っ掻けることで、上ストッパー４００が後方に回動して受部４０４で可動体３０１の上支持基板３２５の被支持係合部３２９を受けることが出来ない状態に維持されるとともに、第３リンク４１２に設けられた下ストッパー係合部４１６が下方に移動して下ストッパー４０１の背面を前方に押圧することで、下ストッパー４０１が垂直に延長した状態となって受部４０７で可動体３０１の下支持基板３３５の被支持係合部３３９を受けることが出来る状態に維持される。
尚、下ストッパー係合部４１６には左右の上下移動ガイド孔４２２，４２２が設けられ、前側取付ベース３１４には当該左右の上下移動ガイド孔４２２，４２２を貫通するガイド軸４２３が設けられていることによって、下ストッパー係合部４１６が上下方向に往復移動可能なようにガイドされる。
【００５３】
センサー機構３０８は、図１０に示すように、可動体初期位置検出用センサー４３０と、昇降部材初期位置検出用センサー４３１と、昇降部材上昇開始位置（昇降部材退避位置）検出用センサー４３２とを備える。
可動体初期位置検出用センサー４３０は、昇降部材３５０の被検出部４３３を検出した検出信号を演出制御回路２７０に出力して、可動体３０１が初期位置設定用ストッパー３８２によって初期位置に保持されたことを演出制御回路２７０に認識させる検出手段である。
昇降部材初期位置検出用センサー４３１は、昇降部材３５０が初期位置設定用ストッパー３８２を解除させる位置よりも前の位置（以下、直前位置という）である昇降部材初期位置に位置された場合に昇降部材３５０の被検出部３７４を検出した検出信号を演出制御回路２７０に出力して、昇降部材３５０が昇降部材初期位置に位置されたことを演出制御回路２７０に認識させて、演出制御回路２７０にモーター３５１の停止処理を行わせるための検出手段である。
昇降部材上昇開始位置検出用センサー４３２は、昇降部材３５０が落下した可動体３０１と接触しない位置である昇降部材上昇開始位置に位置された場合に、昇降部材３５０の被検出部３７４を検出した検出信号を演出制御回路２７０に出力して、昇降部材３５０が上昇開始位置に位置されたこと、即ち、昇降部材３５０が最も下方の位置に到達したことを演出制御回路２７０に認識させるための検出手段である。
【００５４】
［可動体上昇ステップ］
演出制御回路２７０は、昇降部材上昇開始位置検出用センサー４３２が昇降部材３５０の被検出部３７４を検出したことを示す検出信号を入力した場合、モーター３５１を一方方向に回転させる。モーター３５１が一方方向に回転することにより、動力伝達手段３５３を介して昇降部材３５０を上昇させる力が当該昇降部材３５０に伝達され、昇降部材３５０がモーター３５１の駆動力と定荷重ばね３５２による牽引力とで上方に移動する。昇降部材３５０が上昇すると昇降部材３５０の押上部３７２が落下状態の可動体３０１の下支持基板３３５の下端面３７９に接触し、昇降部材３５０の押上部３７２と可動体３０１の下端面３７９とが接触した状態で昇降部材３５０が上昇し続ける。そして、可動体の被支持係合部３２９，３３９が初期位置設定用ストッパー３８２を乗り越えた後、初期位置設定用ストッパー３８２の係合受部３８６が可動体３０１の下支持基板３３５の被支持係合部３３９を下から支える状態に設定されることにより、可動体３０１が初期位置に保持された状態に設定される（図１０参照）。可動体３０１が初期位置に保持された状態に設定された場合、可動体初期位置検出用センサー４３０が昇降部材３５０の被検出部４３３を検出した可動体初期位置検出信号を演出制御回路２７０に出力する。演出制御回路２７０は、当該可動体初期位置検出信号を入力した場合、モーター３５１を停止した後、モーター３５１を他方方向に回転させ、昇降部材初期位置検出用センサー４３１が昇降部材３５０の被検出部３７４を検出した昇降部材初期位置検出信号を入力するまで、昇降部材３５０を下降させる（図１０参照）。
【００５５】
この場合、昇降部材３５０の上昇動作を定荷重ばね３５２による牽引力によってアシストする構成としているため、モーター３５１の負荷を軽減でき、小型のモーターを使用することが可能となる。
【００５６】
［可動体落下演出ステップＡ］
そして、演出制御回路２７０は、上部材３０４と下部材３０５とが離間した可動体落下状態Ａを演出する場合、ソレノイドを無通電（ＯＦＦ）状態に維持して、上ストッパー４００が落下する上支持基板３２５の被支持係合部３２９を受けることが可能な状態に設定した後、モーター３５１を他方方向に回転させ、昇降部材上昇開始位置検出用センサー４３２が昇降部材３５０の被検出部３７４を検出した昇降部材上昇開始位置検出信号を入力するまで、昇降部材３５０を下降させる。
この際、昇降部材３５０が昇降部材初期位置から昇降部材上昇開始位置に下降するまでの間に、昇降部材３５０の押下部３７３が第１リンク３９０の押下力受部３９５に衝突して第１リンク３９０を押し下げる（図９参照）。この第１リンク３９０の下方への移動に伴って、初期位置設定用ストッパー３８２による可動体保持状態が解除されて、可動体３０１が落下し、上支持基板３２５の被支持係合部３２９が上ストッパー４００で支持されるとともに、下支持基板３３５の被支持係合部３３９が下ストッパー４０１で支持されずに落下し続けることにより、図１１;図１２に示すように、前側から見た場合に、上部材３０４と下部材３０５とが上下方向に離間し、上部材３０４と下部材３０５との間から後方部材３０３の後方装飾体３２０が見えて、かつ、上部材３０４の上装飾部材３２６と下部材３０５の上装飾部材３３６とがばらばらに離れた状態となる。
【００５７】
［可動体落下演出ステップＢ］
演出制御回路２７０は、上部材３０４と下部材３０５とが接触した可動体落下状態Ｂを演出する場合、ソレノイドを通電（ＯＮ）状態に維持して、下ストッパー４０１が落下する下支持基板３３５の被支持係合部３３９を受けることが可能な状態に設定した後、モーター３５１を他方方向に回転させ、昇降部材上昇開始位置検出用センサー４３２が昇降部材３５０の被検出部３７４を検出した上昇開始位置検出信号を入力するまで、昇降部材３５０を下降させる。
この際、昇降部材３５０が昇降部材初期位置から昇降部材上昇開始位置に下降するまでの間に、昇降部材３５０の押下部３７３が第１リンク３９０の押下力受部３９５に衝突して第１リンク３９０を押し下げる。この第１リンク３９０の下方への移動に伴って、初期位置設定用ストッパー３８２による可動体保持状態が解除されて、可動体３０１が落下し、下支持基板３３５の被支持係合部３３９が下ストッパー４０１で支持されることにより、図１３に示すように、前側から見た場合に、上部材３０４と下部材３０５とが上下方向で接触し、上部材３０４の上装飾部材３２６と下部材３０５の上装飾部材３３６とが接触して有意な意味を表す文字等の装飾を形成する状態となる。
【００５８】
可動体落下演出ステップＡ，Ｂにおいては、昇降部材３５０の被検出部３７４が昇降部材上昇開始位置検出用センサー４３２で検出される位置に到達した場合、昇降部材３５０の押上部３７２が落下した下支持基板３３５の下端面３７９と衝突しない位置にくるように構成されている。言い換えれば、昇降部材３５０が昇降部材上昇開始位置に到達した後、あるいは、到達する直前に、昇降部材３５０の押下部３７３がリンク機構３８３を押し下げて初期位置設定用ストッパー３８２を解除するように構成したことで、落下した下支持基板３３５の下端面３７９が昇降部材３５０の押上部３７２に衝突しない構成となっている。
【００５９】
また、昇降部材初期位置検出用センサー４３１は、昇降部材３５０の押下部３７３がリンク機構３８３を押し下げて初期位置設定用ストッパー３８２を解除する直前位置において昇降部材３５０の被検出部３７４を検出する位置に設けたことにより、遊技者が昇降部材３５０の位置によって可動体３０１が落下するか否かを判断し難くなり、遊技者に予測不能な可動体落下演出を提供できるため、遊技性に富んだパチンコ機１を提供できる。
【００６０】
また、定荷重ばね３５２と可動体３０１とが直接連結されていないので、可動体３０１が落下する際、可動体３０１に落下方向と反対方向の力が加わらないため、可動体３０１は自由落下する。
【００６１】
実施形態によれば、遊技盤３０の上部の初期位置に初期位置設定用ストッパー３８２によって保持されるとともに、当該初期位置設定用ストッパー３８２が解除されることにより初期位置から落下するように構成された可動体３０１と、落下した可動体３０１に接触して駆動源としてのモーター３５１の力と弾性手段として定荷重ばね３５２の力とを受けて上方に移動することにより、落下した可動体３０１を初期位置まで上昇させて初期位置設定用ストッパー３８２に保持させ、かつ、モーター３５１の力を受けて所定位置まで下降することにより初期位置設定用ストッパー３８２を解除して可動体３０１を自由落下させる昇降部材３５０と、を備えたので、可動体３０１を上昇させるためのモーター３５１の負荷を軽減できるとともに、可動体３０１に落下方向と反対方向の力が加わらないようにできて可動体３０１を自由落下させる演出を実現できる遊技性に富んだパチンコ機１を提供できる。
即ち、モーター３５１の力と定荷重ばね３５２の力とを昇降部材３５０に伝達する動力伝達手段３５３を備え、定荷重ばね３５２と可動体３０１とが直接連結されていないので、モーター３５１の負荷を軽減できるとともに、可動体３０１を自由落下させることが可能となる。
また、初期位置設定用ストッパー３８２を作動状態と解除状態とに設定するリンク機構３８３を備え、当該リンク機構３８３は、初期位置設定用ストッパー３８２を作動状態（可動体３０１を保持する状態）に維持するための付勢手段としての付勢ばね３８４と、昇降部材３５０が下降する際の押下力を受ける押下力受部３９５とを備え、押下力受部３９５が昇降部材３５１からの押下力を受けることによってリンク機構３８３が付勢ばね３８４に抗して初期位置設定用ストッパー３８２を解除状態（可動体３０１を自由落下させる状態）に設定するので、昇降部材３５０を下降させることで可動体３０１を確実に自由落下させることができる。
また、上下方向に離れるように移動可能であるとともに互いに接触するように移動可能に設けられた上部材３０４及び下部材３０５を備え、遊技盤３０の上部の初期位置に上部材３０４及び下部材３０５が互いに接触した状態で初期位置設定ストッパー３８２により保持され、当該初期位置設定ストッパー３８２が解除されることにより初期位置から落下するように構成された可動体３０１と、初期位置から落下する可動体３０１の上部材３０４及び下部材３０５が互いに上下方向に離れた状態となるように上部材２０４を受け止める上ストッパー４００と、を備えたことにより、可動体３０１の落下中に可動体３０１の形態を変化させることができるようになるため、特異な可動体演出を実現できるようになり、遊技性に富んだパチンコ機１を提供できる。
また、上部材３０４は、上支持基板３２５と、当該上支持基板３２５に移動可能に支持された上装飾部材３２６とを備え、下部材３０５は、下支持基板３３５と、当該下支持基板３３５に移動可能に支持された下装飾部材３３６とを備え、初期位置から落下する上部材３０４が上ストッパー４００で受け止められて上部材３０４及び下部材３０５が互いに上下方向に離れた状態となった場合に、上装飾部材３２６及び下装飾部材３３６が互いに上下方向に離れた状態となるように構成されているので、上部材３０４及び下部材３０５を備えた可動体３０１の落下中に当該可動体３０１の形態を変化させるとともに、上装飾部材３２６及び下装飾部材３３６の形態を変化させることができるようになるため、特異な可動体演出を実現できるようになり、遊技性に富んだパチンコ機１を提供できる。
また、初期位置から落下する可動体３０１の上部材３０４及び下部材３０５が互いに接触した状態となるように下部材３０５を受け止める下ストッパー４０１を備え、初期位置から落下する下部材３０５が下ストッパー４０１で受け止められて上部材３０４及び下部材３０５が互いに接触した状態となった場合に、上装飾部材３２６及び下装飾部材３３６が互いに接触した状態となるように構成されているので、可動体３０１の落下中に当該可動体３０１の形態が変化しない可動体演出も可能となることから、可動体３０１の落下中に可動体３０１の形態を変化させる可動体演出、及び、可動体３０１の落下中に当該可動体３０１の形態を変化させない可動体演出の両方の可動体演出が可能となり、遊技性に富んだパチンコ機１を提供できる。
また、昇降部材３５０に設けられた第１の被検出部としての被検出部４３３及び第２の被検出部としての被検出部３７４と、可動体３０１が初期位置に位置された場合に第１の被検出部としての被検出部４３３を検出する可動体初期位置検出用センサー４３０と、昇降部材３５０が初期位置設定ストッパー３８２を解除させる直前位置である昇降部材初期位置に位置された場合に第２の被検出部としての被検出部３７４を検出する昇降部材初期位置検出用センサー４３１と、昇降部材３５０が落下した可動体３０１と接触しない位置である昇降部材上昇開始位置に位置された場合に第２の被検出部としての被検出部３７４を検出する昇降部材上昇開始位置検出用センサー４３２と、を備えたので、パチンコ機１の電源が遮断された後に復帰した場合（以下、「電断復帰時」という）、可動体３０１が初期位置に位置しているか否かを可動体初期位置検出用センサー４３０で検出し、可動体３０１が初期位置に位置している場合は、モーター３５１を制御して昇降部材３５０の被検出部３７４が昇降部材初期位置検出用センサー４３１で検出されるようにすることで、昇降部材３５０を初期状態に設定できる。また、電断復帰時において、可動体３０１が初期位置に位置していない場合も、モーター３５１を制御して昇降部材３５０の被検出部３７４が昇降部材初期位置検出用センサー４３１で検出されるようにすることで、昇降部材３５０を初期位置に設定した後、モーター３５１を制御して昇降部材３５０の被検出部３７４が昇降部材上昇開始位置検出用センサー４３２で検出されるようにすることで、昇降部材３５０の上昇を開始させて可動体３０１を初期位置まで上昇させて初期位置設定ストッパー３８２に保持させることができるようになる。即ち、パチンコ機１の電断復帰時において、昇降部材３５０及び可動体３０１を初期位置に復帰させることが可能となり、モーター３５１と可動体３０１とが動力伝達手段により連結されておらず、モーター３５１を制御することで可動体３０１の位置を制御することができない構成であっても、可動体３０１を初期位置に復帰させるための復帰動作処理を正しく行うことが可能となる。
【００６２】
［パチンコ機の内部構成について］
図１４は、パチンコ機１の制御を担う制御手段の構成を示すブロック図である。同図に示すように、パチンコ機１は、主として遊技全般に係る基本動作を制御する主制御回路２４０と、主として賞球の払出動作を制御する払出制御回路２５０と、主として遊技球の発射を制御する発射制御回路２６０と、演出表示装置１００、役物装置３００、スピーカユニット８、ＬＥＤ等の発光体５７を制御する演出制御回路２７０とを備える。
【００６３】
主制御回路２４０は、（メイン）ＣＰＵ２４０ａ、（メイン）ＲＯＭ２４０ｂ、及び（メイン）ＲＡＭ２４０ｃを備えてなり、ＣＰＵ２４０ａが、各検出スイッチやタイマからの入力に対応してＲＯＭ２４０ｂに予め格納されたプログラムを読み出して、当該プログラムに従った演算処理を行い、主制御回路２４０に接続された上述の各ソレノイドＳＯＬ１〜ＳＯＬ２や、遊技盤３０の遊技領域３０Ａの外方に配設された第１特別図柄表示装置３５Ａ、第２特別図柄表示装置３５Ｂ、第１特別図柄保留表示装置３６Ａ、第２特別図柄保留表示装置３６Ｂ、普通図柄表示装置３７、及び普通図柄保留表示装置３８といった各表示装置を直接的に制御したり、他の制御回路に多様なコマンドを送信する。また、このときＲＡＭ２４０ｃは、ＣＰＵ２４０ａの演算処理時におけるワークエリアとして機能し、演算に必要な各種のデータや、コマンドを一時的に保持する。
【００６４】
主制御回路２４０には、払出制御回路２５０、及び演出制御回路２７０が接続されている。払出制御回路２５０は、主制御回路２４０と同様に不図示のＣＰＵ、ＲＯＭ、ＲＡＭを備えたマイクロコンピュータであって、主制御回路２４０と一方向通信可能に接続されている。当該払出制御回路２５０には、外部情報出力端子板２５１が接続されている。外部情報出力端子板２５１は、主制御回路２４０（ＣＰＵ２４０ａ）及び払出制御回路２５０（払出ＣＰＵ）から出力された遊技の進行に関する種々の情報をパチンコ機１の設置店等に設けられたホストコンピュータ側に送信する。
【００６５】
また、払出制御回路２５０には、遊技者に対して賞球を払い出すための払出モータ２５２、及び賞球数計数スイッチ２５３が接続されている。払出制御回路２５０は、主制御回路２４０から送信される払出コマンドに含まれる賞球数情報に基づいて所定の賞球数が払い出されるように払出モータ２５２を制御する。当該払出モータ２５２の駆動により払い出された賞球は、賞球数計数スイッチ２５３により検出され、払出制御回路２５０側において、適正な賞球数が払い出されたかが把握される。なお、払出制御回路２５０には、この他、受皿６に許容数以上の遊技球が貯留されていることを検知する皿満タン検出スイッチや、本体枠３の扉が開放していることを検知する扉開放検出スイッチ等の各種のスイッチが接続される。
【００６６】
発射制御回路２６０には、ハンドルユニット７内に搭載されたタッチセンサ２６１、発射ボリューム２６２、図外の発射機構内に受皿６に貯留された遊技球を送り込む球送りモータ２６３、及び発射機構内に格納された球発射モータ２６４が接続されており、発射制御回路２６０は、払出制御回路２５０からの発射許可およびタッチセンサ２６１からの入力を条件として、遊技者によるハンドルユニット７の操作量に応じて変化する発射ボリューム２６２からの入力信号に基づいて球発射モータ２６４を制御し、受皿６に貯留された遊技球を所定の発射力により遊技領域３０Ａ内に打ち出す。
【００６７】
演出制御回路２７０は、遊技進行中や待機中における各種の演出を制御する。
演出制御回路２７０は、（サブ）ＣＰＵ２７０ａ、（サブ）ＲＯＭ２７０ｂ、（サブ）ＲＡＭ２７０ｃを備えてなり、主制御回路２４０に対して、主制御回路２４０から演出制御回路２７０に対してのみ通信（一方向通信）が可能なように接続されている。当該演出制御回路２７０は、主制御回路２４０から送信される演出に関する各種のコマンドや内部タイマからの入力信号に基づいて、ＲＯＭ２７０ｂに予め格納されたプログラムを読み出して、当該プログラムに従った演算処理を行い、演出制御回路２７０に接続された可動演出表示装置１００の制御、及び、上述した役物装置３００の可動体演出制御、遊技進行中における楽曲や効果音などの音声をスピーカユニット８から出力させる音声出力制御や、光飾装置７０、遊技盤３０及びパネル枠４等の各所に配設されたＬＥＤ等の発光体５７を多様なパターンにより発行させる発光制御を実行する。このときＲＡＭ２７０ｃは、ＣＰＵ２７０ａの演算処理時におけるワークエリアとして機能し、演算に必要な各種のデータや、コマンド等を一時的に保持する。
【００６８】
また、演出制御回路２７０は、ＣＰＵ２７０ａと接続され、当該ＣＰＵ２７０ａより送信される画像表示に係る各種のコマンドを受信して演出表示画面１０５に多様な画像を表示するためのＶＤＰ、及び上記画像表示処理中に必要な各種のデータ等を一時的に保存するＶＲＡＭ、音声制御のための音声合成ＬＳＩ等、各種制御に必要なハードウェアを備えている。また、演出制御回路２７０には、遊技者の任意に操作可能な前述の操作機構９が接続されており、例えば当該操作機構９の操作タイミングに合せて前述の各制御を実行し、操作機構９の操作タイミングに従った所定の演出を表現することが可能である。
【００６９】
以下、上記構成からなるパチンコ機１の遊技の流れについて概説する。
遊技者のハンドルユニット７の操作により遊技領域３０Ａ内を流下する遊技球が前述の第１始動部品５０又は第２始動部品５２に入球すると、主制御回路２４０では特別遊技（所謂大当り遊技）の実行可否に関する抽選、特別図柄の種類を決定する抽選、特別図柄の変動パターンを決定する抽選等の種々の抽選を実行する。
そして、上記抽選のうち、特図当否抽選の結果が「当り」である場合には、前述の大入賞装置６０を開放動作させ、遊技球の入球を容易とする特別遊技が実行される。
【００７０】
以上、本発明を実施の形態に基づいて説明したが、本発明の技術的範囲は上記実施形態に何ら限定されることはなく、実施形態を組み合わせて多様な変更、改良を行い得ることが当業者において明らかである。また、そのような多様な変更、改良を加えた形態も本発明の技術的範囲に含まれ得ることが特許請求の範囲の記載から明らかである。
【符号の説明】
【００７１】
１  パチンコ機（遊技機）、３０  遊技盤、３０１  可動体、３３５  下支持基板、
３５０  昇降部材、３５２  定荷重ばね（弾性手段）、３５３  動力伝達手段、
３７２  押上部、３７３  押圧部、３７４  被検出部、３７９  下端面、
３８２  初期位置設定用ストッパー、３８３  リンク機構、
３８４  付勢ばね（付勢手段）、３９５  押下力受部、
４３１  昇降部材初期位置検出用センサー、
４３２  昇降部材上昇開始位置検出用センサー。
【図１】
2017136257.tif 000003
【図２】
2017136257.tif 000004
【図３】
2017136257.tif 000005
【図４】
2017136257.tif 000006
【図５】
2017136257.tif 000007
【図６】
2017136257.tif 000008
【図７】
2017136257.tif 000009
【図８】
2017136257.tif 000010
【図９】
2017136257.tif 000011
【図１０】
2017136257.tif 000012
【図１１】
2017136257.tif 000013
【図１２】
2017136257.tif 000014
【図１３】
2017136257.tif 000015
【図１４】
2017136257.tif 000016